(57)【特許請求の範囲】
【請求項１】
金属基板上に、少なくとも１層の琺瑯層を有する黒板であって、前記琺瑯層のうち最外層の表面琺瑯層が、JIS Z 8721−1993に規定される明度Ｖが3.0〜7.0である色調と、JIS B 0601−2001に規定される表面粗さRzが５〜25μmである表面特性と、ピークゲインが0.28以上である反射特性と、を有することを特徴とする映写黒板。
【請求項２】
前記表面琺瑯層が、透明マット釉薬に少なくとも酸化チタン被覆粒子を配合した琺瑯上釉薬を用いて形成された琺瑯層であることを特徴とする請求項１に記載の映写黒板。
【請求項３】
前記表面琺瑯層が、黒色系、灰色系、緑色系、茶色系、紺色系のうちのいずれかの色を有することを特徴とする請求項１または２に記載の映写黒板。
【請求項４】
前記表面琺瑯層が、JIS Z 8741−1997に規定される75度鏡面光沢度Ｇｓ（75°）が１〜30％であることを特徴とする請求項１ないし３のいずれかに記載の映写黒板。
【請求項５】
前記酸化チタン被覆粒子が、雲母粒子の表面に酸化チタンを被覆してなる粒子であることを特徴とする請求項２に記載の映写黒板。
【請求項６】
金属基板の表面に、琺瑯下釉薬を塗布し、焼成して下地琺瑯層を形成したのち、あるいは下地琺瑯層を形成することなく、ついで透明マット釉薬に少なくとも酸化チタン被覆粒子を配合し、さらに顔料として、黒板の色調に合わせて、黒色系顔料、灰色系顔料、緑色系顔料、茶色系顔料、黄色系顔料、紺色系顔料、のいずれか単独あるいは複合して添加した琺瑯上釉薬を塗布し、400〜850℃で焼成して、チョーク（白墨）によるチョーク文字認識性およびチョーク文字消去性に優れる、優れた黒板機能と、映像認識性に優れる、優れたスクリーン機能と、を兼備した表面琺瑯層を形成することを特徴とする映写黒板の製造方法。
【請求項７】
前記酸化チタン被覆粒子が、雲母粒子の表面に酸化チタンを被覆してなる粒子であることを特徴とする請求項６に記載の映写黒板の製造方法。
【発明の詳細な説明】
【技術分野】
【０００１】
本発明は、表面に琺瑯層を形成してなる黒板（チョークボードともいう）に係り、とくに、優れた黒板機能と優れたスクリーン機能とを兼備する琺瑯製黒板に関する。なお、本発明でいう「優れた黒板機能」とは、チョークで文字、画像等を書き易く、見やすく、また書いた文字、画像等を消去しやすい機能を有することを意味する。また、「優れたスクリーン機能」とは、プロジェクタ、ＯＨＰ等で文字等の映像を投影した際に、文字等の映像が鮮映に映写できる機能を有することを意味する。
【背景技術】
【０００２】
従来から、黒板（チョークボード）は、表面に文字、画像等をチョークで消去可能に描ける機能を有し、種々の説明、講義、講演等の補助として利用されてきた。そのため、従来の黒板（チョークボード）は、JIS S 6007にも規定されているように、チョ−ク（白墨）で文字、画像等を書き易く、消去しやすくするために表面を適正に粗くし、かつチョーク（白墨）で書かれた文字,画像等を見やすくするため暗色系の材料を使用してきた。
【０００３】
しかし、近年では、スライド、ＯＨＰ等の各種プロジェクタを利用して、予め用意した資料をスクリーンに映写し、指示棒等で指しながら説明等を行う場合が一般的となってきた。各種プロジェクタを利用して、説明等を行う場合には、映写用のスクリーンと補足説明のためチョーク（白墨）で文字等を描書および消去ができる黒板とを両方、用意する必要があり、準備・後始末にかなりの手間を要していた。というのは、従来の黒板に各種プロジェクタで映像を投影すると画質が暗く不鮮明となるため、従来の黒板をスクリーンとして利用することはなかった。
【０００４】
一方、各種プロジェクタで映像を投影することを主たる目的とする反射スクリーンは、反射特性を向上させるために白色系、あるいは高明度色系の材料を使用している。このため、スクリーンにチョーク（白墨）で描書すると、コントラストが低く、文字、画像等の認識特性が低下することになるうえ、ビーズ、ホワイトマット等の一般的なスクリーンは表面硬さが低く、チョーク（白墨）で描書・消去すると、スクリーンが摩耗するという問題があった。このため、例えば特許文献１、特許文献２に示されるように、スクリーンは、マーカーで描書し消去するマーカーボードとして用いられる場合はあっても、チョークボードとして用いられることはなかった。
【０００５】
このような問題に対し、例えば、特許文献３には、釉薬中にブルー系統の染料を混入して鋼板上に明度８乃至４の粗面ホーロー層を形成してなる映写幕兼用ホーロー黒板が提案されている。
【特許文献１】特開平02―153080号公報
【特許文献２】特開平04−229299号公報
【特許文献３】実開昭57−183190号公報
【発明の開示】
【発明が解決しようとする課題】
【０００６】
しかし、特許文献３に記載された技術で製造された黒板では、反射輝度が低く、映像が不鮮明となる傾向が強く、とくに輝度の低いプロジェクタを用いた場合には鮮明な映像が得られにくいなど、スクリーンとしての最近の要求特性を十分満足できないという問題があった。本発明は、上記した従来技術の問題を有利に解決し、チョーク（白墨）で文字、画像等を描書し易くかつ見やすくチョーク文字認識性に優れ、またチョーク（白墨）で書いた文字、画像等を容易に消去でき、チョーク文字認識性、チョーク文字描書・消去性に共に優れ、かつ投影された映像を鮮映に映写でき映像認識性に優れる、優れた黒板機能および優れたスクリーン機能とを兼備する映写黒板およびその製造方法を提供することを目的とする。なお、本発明が目的とする映写黒板は、金属基板の外表面に少なくとも１層の琺瑯層を有する琺瑯製黒板とする。
【課題を解決するための手段】
【０００７】
本発明者らは、上記した課題を達成するために、琺瑯製黒板のチョーク文字認識性、チョーク描書・消去性および映像認識性に影響する要因について鋭意検討した。その結果、従来の黒板と同等以上のチョーク文字認識性、チョーク文字描書・消去性を確保するために、黒板の表面琺瑯層が、所定範囲の明度と、所定の範囲の表面粗さを有するとともに、さらに映像認識性向上のために、所定値以上のピークゲインを有する反射特性となるように表面琺瑯層を調整することが肝要であることに想到した。
【０００８】
そして、そのような表面琺瑯層は、使用する釉薬を、通常のチョークボード釉薬である透明マット釉薬に、少なくとも適正量の酸化チタン被覆粒子と、あるいはさらに酸化チタン釉薬を配合した釉薬とし、焼成条件を適正範囲に調整することにより生成可能であることを新規に見出し、これにより、黒板に、優れた黒板機能と優れたスクリーン機能とを兼備させることができることを知見した。
【０００９】
本発明は、上記した知見に基づいて、さらに検討を加えて完成されたものである。すなわち、本発明の要旨はつぎのとおりである。
（１）金属基板上に、少なくとも１層の琺瑯層を有する黒板であって、前記琺瑯層のうち最外層の表面琺瑯層が、JIS Z 8721−1993に規定される明度Ｖが3.0〜7.0である色調と、JIS B 0601−2001に規定される表面粗さRzが５〜25μmである表面特性と、ピークゲインが0.28以上である反射特性と、を有することを特徴とする映写黒板。
【００１０】
（２）（１）において、前記表面琺瑯層が、透明マット釉薬に少なくとも酸化チタン被覆粒子を、あるいはさらに酸化チタン釉薬を配合した琺瑯上釉薬を用いて形成された琺瑯層であることを特徴とする映写黒板。
（３）（１）または（２）において、前記表面琺瑯層が、黒色系、灰色系、緑色系、茶色系、紺色系のうちのいずれかの色を有することを特徴とする映写黒板。
【００１１】
（４）（１）ないし（３）のいずれかにおいて、前記表面琺瑯層が、JIS Z 8741−1997に規定される75度鏡面光沢度Gs（75°）が１〜30％であることを特徴とする映写黒板。
（５）（２）において、前記酸化チタン被覆粒子が、雲母粒子の表面に酸化チタンを被覆してなる粒子であることを特徴とする映写黒板。
（６）金属基板の表面に、琺瑯下釉薬を塗布し、焼成して下地琺瑯層を形成したのち、あるいは下地琺瑯層を形成することなく、ついで透明マット釉薬に少なくとも酸化チタン被覆粒子を、あるいはさらに酸化チタン釉薬を、配合し、さらに顔料として、黒板の色調に合わせて、黒色系顔料、灰色系顔料、緑色系顔料、茶色系顔料、黄色系顔料、紺色系顔料、のいずれか単独あるいは複合して添加した琺瑯上釉薬を塗布し、400〜800℃で焼成して、チョーク（白墨）によるチョーク文字認識性およびチョーク文字消去性に優れる、優れた黒板機能と、映像認識性に優れる、優れたスクリーン機能と、を兼備した表面琺瑯層を形成することを特徴とする映写黒板の製造方法。
【００１２】
（７）（６）において、前記金属基板が、冷延鋼板、あるいはアルミめっき鋼板またはZn−Al合金めっき鋼板であることを特徴とする映写黒板の製造方法。
（８）（６）または（７）において、前記酸化チタン被覆粒子が、雲母粒子の表面に酸化チタンを被覆してなる粒子であることを特徴とする映写黒板の製造方法。
【発明の効果】
【００１３】
本発明によれば、チョーク文字認識性、およびチョーク文字消去性に優れるとともに、映像認識性にも優れ、取り扱いが容易で、施工性にも優れた映写黒板を、安価に製造でき、産業上格段の効果を奏する。
【発明を実施するための最良の形態】
【００１４】
本発明になる映写黒板は、金属基板上に少なくとも１層の琺瑯層を有する黒板である。本発明では、使用する金属基板の種類は、とくに限定されるものではないが、冷延鋼板とすることが好ましい。金属基板として使用する冷延鋼板には、金属基板と釉薬との密着性を向上させるために、Niめっきを施すことが好ましい。なお、冷延鋼板としては低炭素鋼板、ステンレス鋼板等が例示できる。低炭素鋼板のＣ含有量は、mass％で0.0200％以下とすることが好ましく、より好ましくは0.0100％以下、さらに好ましくは0.0050％以下である。
【００１５】
また、金属基板としては、アルミニウムめっき鋼板またはZn−Al合金めっき鋼板としてもよい。Zn−Al合金めっき鋼板としては、Al含有量が４〜70mass％、残部Znおよび不可避的不純物からなるめっき層を有するめっき鋼板が例示できる。なお、めっき層には、めっき皮膜特性向上のための添加物質を含有してもよいことは言うまでもない。
上記した金属基板上に形成される琺瑯層のうち、最外層の表面琺瑯層は、JIS Z 8721−1993に規定される明度Ｖが3.0〜7.0である色調と、JIS B 601−2001に規定される表面粗さRzが５〜25μmである表面特性と、ピークゲインが0.28以上である反射特性と、を有する。なお、本発明でいう明度Ｖは、JIS Z 8722−2000に規定される色の測定方法に準拠して測定し、JIS Z 8721−1993に規定される色の表示方法に準拠して表示される値を用いるものとする。なお、ハンターLab表色系で表示した場合には、本発明になる映写黒板最外層の表面琺瑯層の明度Ｌは、30〜70程度となる色調を有する。
【００１６】
本発明の映写黒板は、まず、従来の黒板と同等以上のチョーク文字認識性、チョーク文字消去性を維持し、優れた黒板機能を保持することを必要とする。
そのために、まずチョークで描書された文字、画像等が見えやすくなる、すなわち、チョーク文字認識性を確保するため、本発明では、表面琺瑯層を、JIS Z 8721−1993に規定される明度Ｖが3.0〜7.0である、好ましくは黒色系、灰色系、緑色系、茶色系、紺色系のうちのいずれか、さらに好ましくは黒色系、緑色系、茶色系のいずれかの暗色系色調の琺瑯層とする。明度Ｖが上記した範囲を下方に外れると、暗くなりすぎて映像を投影したときに映像認識性が低下し、一方、明度Ｖが上記した範囲を上方に外れると、明るくなりすぎてチョーク文字認識性が低下する。なお、琺瑯層の色調、明度は、添加顔料の種類、添加量により調整することができる。明度Ｖを3.0〜7.0に調整するには、顔料として、Co、Cr、Tiの金属またはそれらの酸化物を単独あるいは複合して添加することが好ましい。なお、明度Ｖは4.0〜6.0とすることが好ましい。なお、ハンターLab表色系で表示した場合には、明度Ｌは40〜60とすることが好ましい。さらに好ましくは明度Ｖは4.0以上5.0未満、ハンターLab表色系で表示した場合には、明度Ｌは40以上50未満である。
【００１７】
また、本発明の映写黒板では、チョークで文字、画像等を書き易くかつ消去し易くなる、チョーク文字描書・消去性を確保するために、表面琺瑯層の表面特性を、JIS B 0601−2001に規定される表面粗さRzが５〜25μmとなるように調整する。なお、好ましくは10〜22μm、さらに好ましくは14〜20μmである。
表面琺瑯層の表面粗さRzが上記した範囲を外れ、平坦に近づくと、チョークがすべり、チョーク描書性が低下するとともに、映像認識性が低下する。一方、上記した範囲を外れ凹凸が大きくなリすぎると、チョーク文字消去性が低下するとともに、映像認識性が低下する。なお、上記した表面琺瑯層の表面特性は、後記するように、金属基板に塗布する釉薬の組成と、釉薬塗布後の焼成条件の組み合わせを適正範囲とすることにより、達成できる。
【００１８】
本発明の映写黒板においては、表面琺瑯層が上記した色調と表面特性を有し、優れた黒板機能を維持するとともに、さらにピークゲインが0.28以上で、好ましくはハーフゲインが13以上である反射特性を有する。
被測定板の反射特性は、例えば、図２に示すように、被測定板Ｓの中心に垂直方向に光源10から入射光１を照射し、中心点から同一円弧上を左右に各75 °の範囲で５°ずつ移動したポイントでの反射光２の大きさ（反射輝度）を輝度計11で測定して得られた反射特性曲線（図１参照）により求めるものとする。本発明でいう「ピークゲイン」とは、標準白板（完全拡散板：硫酸マグネシウムを焼き付けた純白板）に光を当てたときの反射輝度に対する、同一条件で測定した被測定黒板の反射輝度の比率をいうが、この場合、通常、視野角５°での反射輝度を用いる。また、本発明でいう「ハーフゲイン」は、反射特性曲線における反射輝度がピークの1/2となった場合の視野角幅（度）をいう。
【００１９】
ピークゲインが0.28未満では、投影した映像が暗く、映像認識性に劣ることになり、映写黒板としての要求を満足することができなくなるため、0.28をピークゲインの下限値とした。なお、ピークゲインは好ましくは0.35〜1.0、より好ましくは0.35〜0.60である。また、広い視野角を得るために、ハーフゲインを13以上とすることが好ましい。このため、本発明では、0.28以上のピークゲインと、好ましくは13以上のハーフゲインを有する反射特性の表面琺瑯層とする。
【００２０】
上記した表面琺瑯層の反射特性は、後記するように、金属基板に塗布する釉薬に、適正粒径分布を有する酸化チタン被覆粒子、好ましくは酸化チタンを被覆した雲母粒子、を適正量添加し、焼成温度を適正範囲に調整することにより達成できる。
上記した特性を有する表面琺瑯層は、JIS Z 8741−1997に規定され75度鏡面光沢度Gs（75°）が１〜30％の表面光沢を有することが好ましい。Gs（75°）が１％未満では、チョーク文字消去性が劣化するとともに、反射輝度が小さくなり、映像が不鮮明となる。一方、Gs（75°）が30％を超えると、チョーク文字描書性が劣化するとともに、ハレーションを起こし易く視野角が狭くなる。なお、より好ましくはGs（75°）が15〜25％、さらに好ましくは20％超え25％以下である。
【００２１】
表面琺瑯層には、酸化チタン被覆粒子が含有される。表面琺瑯層に酸化チタン被覆粒子を含有させることにより、鮮映性が向上するとともに、表面に凹凸が形成され拡散反射性が向上し、ハレーションが抑制され、反射特性が向上する。本発明では、表面琺瑯層には、酸化チタン被覆粒子を表面琺瑯層全量に対する質量％で２〜40％、さらに好ましくは３〜20％含有させることが好ましい。酸化チタン被覆粒子が２質量％未満では反射特性向上効果が少ない。酸化チタン被覆粒子が40質量％を超えて含有させると、表面粗さRzが過剰に大きくなりすぎて、チョ−ク文字消去性が悪化すると共に、明度が大きくなりすぎて、チョ−ク文字認識性が低下する。
【００２２】
また、酸化チタン被覆粒子は、100μm以下の平均粒径を有することが好ましい。さらに好ましくは５〜80μmである。酸化チタン被覆粒子の平均粒径が５μm未満では拡散反射性が低下し、一方、酸化チタン被覆粒子の平均粒径が100μmを超えると、表面琺瑯層の表面粗さが過剰に大きくなり、チョーク文字消去性が低下する。なお、ここでいう粒子の平均粒径とは、レーザ回折式粒度分布測定装置を利用して測定した、50％累積粒子径を言うものとする。また、酸化チタン被覆粒子は、雲母粒子の表面に酸化チタンを被覆した粒子とすることが好ましく、雲母粒子は薄板状雲母粒子とすることがより好ましい。
【００２３】
上記した特性を有する表面琺瑯層は、透明マット釉薬に、少なくとも酸化チタン被覆粒子を、あるいはさらに酸化チタン釉薬を、あるいはさらには透明グロス釉薬を配合した琺瑯上釉薬を用いて形成された琺瑯層とすることが好ましい。なお、表面琺瑯層の厚さは、剥離性の観点から200μm以下とすることが好ましい。なお、より好ましくは150μm以下である。
【００２４】
上記した琺瑯上釉薬を用いて形成された表面琺瑯層は、質量％で、酸化チタン被覆粒子の酸化チタンを含む酸化チタンの合計量をTiO2として、TiO2：0.5〜15％、より好ましくは0.5〜10％未満、さらに好ましくは２〜５％を含み、さらに、SiO2：15〜45％、Al2O3：５〜30％、Na2O、K2O、Li2Oから選ばれた１種または２種以上を合計：２〜20％、B2O3：２〜20％を含む、琺瑯層とすることが好ましい。なお、本発明では、黒板の表面琺瑯層には、所望の色を得るために、黒色系顔料、灰色系顔料、緑色系顔料、茶色顔料、黄色系顔料、紺色系顔料のうちから選ばれた顔料を合計で40質量％以下含むことは言うまでもない。
【００２５】
次に、本発明映写黒板の好ましい製造方法について、説明する。
本発明の映写黒板は、金属基板の表面に、琺瑯下釉薬を塗布し、焼成して下地琺瑯層を形成したのち、あるいは下地琺瑯層を形成することなく、ついで透明マット釉薬に少なくとも酸化チタン被覆粒子を、あるいはさらに酸化チタン釉薬を、あるいはさらに透明グロス釉薬を、配合した琺瑯上釉薬を塗布し、400〜850℃で焼成し表面琺瑯層を形成する製造方法で製造することが好ましい。なお、金属基板は、冷延鋼板、あるいはアルミめっき鋼板またはZn−Al合金めっき鋼板とすることが好ましい。
【００２６】
金属基板として冷延鋼板を用いる場合には、好ましくは冷延鋼板にNiめっきを施したのち、冷延鋼板（金属基板）表面に琺瑯下釉薬を塗布し、焼成して下地琺瑯層を形成する。琺瑯下釉薬としては、とくに限定されるものではなく、従来の琺瑯製黒板で使用される琺瑯下釉薬がいずれも好適である。琺瑯下釉薬の塗布は、スプレー、ロールコータ等の公知の塗布方法がいずれも適用できる。
【００２７】
琺瑯下釉薬としては、なかでも、例えば、固形分全量に対する質量％で、SiO2：20〜80％含有し、残部として、TiO2：０〜15％、ZrO2：０〜20％、B2O3：０〜25％、Al2O3：０〜25％、Na2O：０〜20％、Li2O：０〜20％、K2O：０〜20％、PbO：０〜40％、ZnO：０〜50％、BaO：０〜15％、CaO：０〜15％、CaF2：０〜10％、CoO：０〜20％、NiO：０〜20％、MnO：０〜20％などを含有するSiO2系釉薬とすることが好ましい。
【００２８】
得られた下地琺瑯層の表面に、琺瑯上釉薬を塗布し、その後、600〜850℃で焼成し表面琺瑯層を形成する。琺瑯上釉薬の塗布は、スプレー、ロールコータ等の公知の塗布方法がいずれも適用できる。
琺瑯上釉薬は、透明マット釉薬（フリット）に、あるいは、透明マット釉薬（フリット）100重量部に対し、酸化チタン釉薬（フリット）を100〜20重量部、あるいはさらに透明グロス釉薬（フリット）20重量部以下を添加した釉薬に、適正量の酸化チタン被覆粒子を添加した釉薬とすることが好ましい。また、酸化チタン被覆粒子の添加量は、透明マット釉薬または混合した釉薬（スリップ）：100重量部（焼成後の重量換算）に対し、１〜25重量部とすることが好ましい。
【００２９】
琺瑯上釉薬は、透明マット釉薬のフリットと、あるいは、透明マット釉薬、酸化チタン釉薬、あるいはさらに透明グロス釉薬のフリットと、必要に応じて各種添加物および顔料と、水との混合物の粉砕で得られた泥状物（スリップ）に、適正量の酸化チタン被覆粒子粉末を添加、混合して得られる。なお、顔料として、黒板の所望の色調に合わせて、黒色系顔料、灰色系顔料、緑色系顔料、茶色系顔料、黄色系顔料、紺色系顔料のいずれか単独あるいは複合して添加する必要がある。顔料の添加量としては、スリップ：100重量部（焼成後の重量換算）に対し合計で20重量部以下とすることが好ましい。添加量が20重量部を超えて多くなると、スリップの流動性が低下する。
【００３０】
なお、透明マット釉薬（フリット）としては、固形分全量に対する質量％で、SiO2：30〜45％、Al2O3：20〜35％、B2O3：５〜15％、K2O：５〜15％、Na2O：10〜25％、を含み、残部として、BaO：０〜15％、CaO：０〜15％、F2：０〜10％、TiO2：０〜10％などを含む釉薬とすることが好ましい。
酸化チタン釉薬（フリット）としては、固形分全量に対する質量％で、TiO2を10 〜30％含有し、残部として、SiO2：０〜80％、Al2O3：０〜20％、B2O3：０〜25％、Na2O：０〜20％、K2O：０〜20％、Li2O：０〜20％、P2O5：０〜10％、ZrO2：０〜20％、BaO：０〜15％、CaO：０〜15％、MgO：０〜5％、PbO：０〜40％、ZnO：０〜50％、CaF2：０〜10％などを含む釉薬とすることが好ましい。なお、酸化チタン釉薬の顔料である酸化チタンに代えて、酸化ジルコニウム、酸化アンチモン、酸化亜鉛のうちの１種または２種以上の顔料としてもよい。
【００３１】
透明グロス釉薬（フリット）としては、固形分全量に対する質量％で、SiO2：40〜65％を含み、残部として、B2O3：５〜20％、Na2O、K2O、Li2Oのいずれか１種以上を合計で５〜40％、F2：０〜10％、Al2O3：０〜10％、CaO：０〜10％、TiO2：０〜10％、ZnO：０〜10％、MgO：０〜5％などを含む釉薬とすることが好ましい。なお、酸化チタン釉薬の顔料である酸化チタンに代えて、酸化ジルコニウム、酸化アンチモン、酸化亜鉛のうちの１種または２種以上の顔料としてもよい。
【００３２】
焼成温度が、600℃未満では、表面粗さが粗くなりすぎて、反射特性が劣化する。一方、850℃を超えると、表面が平滑になりすぎて、チョーク文字認識性、チョーク文字描書・消去性が低下する。
また、金属基板としてアルミニウムめっき鋼板またはZn−Al合金めっき鋼板を用いる場合には、金属基板表面に、琺瑯上釉薬を塗布し、400〜600℃で焼成し表面琺瑯層を形成することが好ましい。
【００３３】
なお、この場合には、めっき層の溶融防止の観点から、低融点の琺瑯上釉薬を用いる必要がある。このため、上記した透明マット釉薬に代えてリン酸を配合した釉薬に、酸化チタン被覆粒子を、あるいはさらに酸化チタン釉薬を、配合してなる琺瑯上釉薬とすることが好ましい。リン酸を配合した釉薬中のリン酸の含有量は、40質量％以上、好ましくは80質量％以下、さらに好ましくは70質量％以下とすることが好ましい。
【００３４】
リン酸を配合した釉薬（フリット）としては、固形分全量に対する質量％で、P2O5：40〜80％を含有し、残部として、SiO2：０〜40％、Al2O3：０〜50％、B2O3：０〜25％、Na2O：０〜20％、K2O：０〜20％、Li2O：０〜20％、TiO2：０〜30％、Sb2O3：０〜25％、ZnO：０〜20％、BaO：０〜15％、CaO：０〜15％、MgO：０〜5％、PbO：０〜10％、SrO：０〜20％などを含む釉薬とすることが好ましい。
【００３５】
なお、金属基板としてアルミニウムめっき鋼板またはZn−Al合金めっき鋼板を用いる場合には、めっき層の溶融防止の観点から、低融点の琺瑯上釉薬を用いるため、密着性が向上し、琺瑯下釉薬の塗布は必ずしも必要ではない。
また、金属基板としてアルミニウムめっき鋼板またはZn−Al合金めっき鋼板を用いる場合、焼成温度が、400℃未満では、琺瑯層の密着性が低下する。一方、600℃を超えると、めっき層が溶融するという問題が生じる。
【実施例】
【００３６】
（実施例１）
金属基板として冷延鋼板（Ｃ：0.0050 質量％の極低炭素鋼板）を用いた。冷延鋼板表面には、硫酸ニッケル浴中でニッケルめっき層を形成した。ついで、ニッケルめっきされた冷延鋼板の両表面に、琺瑯下釉薬をロールコータ法で塗布したのち、800℃で焼成し30μmの下地琺瑯層を形成した。なお、琺瑯下釉薬は、SiO2系釉薬（フリット）：100重量部に、粘土：６重量部、炭酸マグネシウム：0.15重量部、硼砂：0.4重量部、シリカ：１重量部、水：70重量部を添加した配合原料をボールミルに投入し、混合、粉砕してスリップとしたものを使用した。
【００３７】
ついで、得られた下地琺瑯層の一方の表面に、琺瑯上釉薬をスプレー法で塗布したのち、750℃で焼成し70μmの表面琺瑯層を形成し、サンプル黒板とした。一部の黒板では、焼成温度を700〜780℃の範囲で変化させた。
なお、表１に示す組成の透明マット釉薬（フリット）：100重量部に、粘土：5.5重量部、亜硝酸ソーダ：0.15重量部、シリカ：0.5重量部、水：70重量部を添加し、さらに顔料として、TiO2、Sb2O5、NiOを合計：１重量部、Cr2O3：8.2重量部、Co、Crを合計：10.0重量部、Fe2O3、CuO、CoO、MnO等を合計：0.1重量部を添加し、ボールミルで、混合、粉砕して得たスリップＡを作製し、また、表２に示す酸化チタン釉薬（フリット）：100重量部に、粘土：5.5重量部、塩化カリ：0.2重量部、アルミン酸ソーダ：0.3重量部、水：54重量部を添加し、ボールミルで、混合、粉砕してスリップＢを得た後、該スリップＢ：100重量部（焼成後の重量換算）に、酸化チタン被覆粒子粉末：20重量部を水：45重量部とともに添加し、混合してスリップＣを作製し、これらスリップＡとスリップＣとを、３：１の比率で配合し、混合して本発明で使用する琺瑯上釉薬とした。なお、一部では、スリップＡとスリップＣとの混合比を変化した。使用した酸化チタン被覆粒子粉末は、薄板状雲母粒子の表面に酸化チタンを被覆した粒子で、平均粒径は20μm、酸化チタン被覆率は30％であった。なお、平均粒径は、レーザ回折式粒度分布測定装置を利用して測定した、50％累積粒子径で示す。
【００３８】
従来例として、表１に示す組成の透明マット釉薬（フリット）：100重量部に、粘土：5.5重量部、亜硝酸ソーダ：0.15重量部、シリカ：0.5重量部、水：70重量部を添加し、さらに顔料として、TiO2、Sb2O5、NiOを合計：0.5重量部、Cr2O3：4.1重量部、Co、Crを合計：5.0重量部、Fe2O3、CuO、CoO、MnO等を合計：0.05重量部を添加し、ボールミルで、混合、粉砕して得たスリップＤを琺瑯上釉薬として使用し、焼成温度：700℃で焼成した。
【００３９】
得られたサンプル黒板の表面琺瑯層について、組成と、表面粗さ、色調、光沢度、反射特性を調査した。
（１）表面粗さ
表面粗さの測定は、接触式表面粗度計を用い、JIS B 0601−2001の規定に準拠して、算術平均粗さRaと最大高さRzを求めた。
【００４０】
（２）色調
色調は、JIS Z 8722−2000の規定に準拠して測定し、JIS Z 8721−1993の規定に準拠して、各サンプル黒板の色調を表示した。
（３）光沢度
光沢度は、JIS Z 8741−1997に準拠して75度鏡面光沢度Gs（75°）を求めた。
【００４１】
（４）反射特性
反射特性は、図２に示すように、被測定板Ｓの中心に垂直方向に光源10から入射光１を照射し、中心点から同一円弧上を左右に各75 °の範囲で５°ずつ移動したポイントでの反射光２の大きさ（反射輝度）を輝度計11で測定し、ピークゲイン、ハーフゲインを求めた。ピークゲインとは、標準白板（完全拡散板：硫酸マグネシウムを焼き付けた純白板）に光を当てたときの反射輝度に対する、同一条件で測定したサンプル黒板の反射輝度の比率を、ピークゲインとした。なお反射輝度は、視野角５°での反射輝度を用いた。
【００４２】
本発明の黒板（本発明品）と従来の黒板（従来品）の反射特性の一例を図１に示す。なお、縦軸は被測定黒板の反射輝度を標準白板の反射輝度（ピーク）を100％としたときの比率で示した。
（５）黒板機能
さらに、得られたサンプル黒板に、JIS B 6007の規定に準拠して、チョーク（白墨）で文字を描書し、白墨の着きやすさ、および落ち易さを判定した。白墨の着きやすさは、黒板面から１ｍ離れた位置から見て、線にムラがないか、さらに８ｍ離れた位置で見て、線が鮮明であるか、を判定した。線のムラがなくかつ鮮明である場合を◎とし、やや鮮明度が低下する場合を○とし、線のムラがあるかあるいは鮮明でない場合を×とし、チョーク文字認識性を評価した。また、白墨の落ち易さは、黒板の描書した文字を、イレーザー（フェルト製）で擦ったのち、黒板から１ｍ離れた位置で見て、黒板面に筆跡跡、消しムラがない場合を◎、やや筆跡跡が残る場合を○、それ以外の場合を×として、チョーク文字消去性を評価した。
【００４３】
得られた結果を、表３、表４に示す。
【００４４】
【表１】
0004771880.tif 000002
【００４５】
【表２】
0004771880.tif 000003
【００４６】
【表３】
0004771880.tif 000004
【００４７】
【表４】
0004771880.tif 000005
【００４８】
本発明例はいずれも、従来黒板と同等のチョーク文字認識性、チョーク文字消去性を維持し、優れた黒板機能を保持するとともに、0.28以上のピークゲインが得られ、反射特性に優れた黒板となり、映像を投影した場合に、映像認識性に優れ、映写用として好適な黒板となっている。本発明の範囲を外れる比較例は、チョーク文字認識性、チョーク文字消去性の黒板機能が低下しているか、反射特性が劣り、映像認識性が低下している。
【００４９】
（実施例２）
金属基板として、冷延鋼板（Ｃ：0.0050 質量％の極低炭素鋼板）を用いた。冷延鋼板表面には、硫酸ニッケル浴中でニッケルめっき層を形成した。ついで、ニッケルめっきされた冷延鋼板の両表面に、琺瑯下釉薬をロールコータ法で塗布したのち、750℃で焼成し30μmの下地琺瑯層を形成した。なお、使用した琺瑯下釉薬は、実施例１と同様のものを使用した。
【００５０】
ついで、得られた下地琺瑯層の一方の表面に、琺瑯上釉薬をスプレー法で塗布したのち、765〜785℃で焼成し70μmの表面琺瑯層を形成し、サンプル黒板とした。
なお、表１に示す組成の透明マット釉薬（フリット）：90重量部に、表５に示す透明グロス釉薬（フリット）：10重量部、粘土：5.5重量部、亜硝酸ソーダ：0.15重量部、シリカ：0.5重量部、水：70重量部を添加し、さらに顔料として、TiO2、Sb2O5、NiOを合計：1.0重量部、Cr2O3：8.2重量部、Co、Crを合計：7.5重量部、Fe2O3、CuO、CoO、MnO等を合計：0.1重量部を添加し、ボールミルで、混合、粉砕して得たスリップＤを作製し、また、表２に示す酸化チタン釉薬（フリット）：100重量部に、粘土：7.5重量部、塩化カリ：0.2重量部、アルミン酸ソーダ：0.3重量部、水：54重量部を添加し、さらに顔料として、Co、Crを合計：1.2重量部を添加し、ボールミルで、混合、粉砕してスリップＥを得た後、該スリップＥ：100重量部（焼成後の重量換算）に、酸化チタン被覆粒子粉末：20重量部を水：45重量部とともに添加し、混合してスリップＦを作製し、これらスリップＤとスリップＦとを、３：１の比率で配合し、混合して本発明例で使用する琺瑯上釉薬とした。使用した酸化チタン被覆粒子粉末は、薄板状雲母粒子の表面に酸化チタンを被覆した粒子とし、平均粒径は20μm、酸化チタン被覆率は30％であった。なお、平均粒径は、レーザ回折式粒度分布測定装置を利用して測定した、50％累積粒子径で示す。
【００５１】
得られたサンプル黒板の表面琺瑯層について、組成と、表面粗さ、色調、光沢度、反射特性を調査した。調査方法は、実施例１と同様とした。なお、色調については、ハンターLab表色系でも測定した。
得られた結果を、表７に示す。
【００５２】
【表５】
0004771880.tif 000006
【００５３】
【表６】
0004771880.tif 000007
【００５４】
【表７】
0004771880.tif 000008
【００５５】
本発明例はいずれも、従来黒板と同等のチョーク文字認識性、チョーク文字消去性を維持し、優れた黒板機能を保持するとともに、21％以上の光沢度Gs（75°）と、0.40以上のピークゲインが得られ、反射特性に優れた黒板となり、映像を投影した場合に、映像認識性に優れ、映写用として好適な黒板となっている。
【図面の簡単な説明】
【００５６】
【図１】反射特性曲線の一例を示すグラフである。
【図２】反射輝度の測定方法を示す概略説明図である。
【符号の説明】
【００５７】
１   入射光
２   反射光
３ｓ  被測定黒板（サンプル）
10    光源
11    輝度計
【図１】
0004771880.tif 000009
【図２】
0004771880.tif 000010